(57)【要約】【課題】ファイルボックス内に収納された書類の変形を防止することができる書類押さえ具を提供するものである。【解決手段】ファイルボックスに収納された書類を押さえる書類押さえ具であって、書類を押さえる書類押さえ板１とファイルボックスの正面板６に押し付けられる正面板押し付け板２が弾性力により伸縮自在に連結板３で連結されている。【選択図】図２
2006281579.tif 000002
【特許請求の範囲】
【請求項１】
書類を押さえる書類押さえ板とファイルボックスの正面板又は背面板に当接する当接板が弾性力により伸縮自在に連結されていることを特徴とするファイルボックスに収納された書類を押さえる書類押さえ具。
【請求項２】
板状体が曲げられて書類押さえ板と正面板又は背面板に当接板が弾性力により伸縮自在に連結板で連結されていることを特徴とする請求項１記載のファイルボックスに収納された書類を押さえる書類押さえ具。
【発明の詳細な説明】
【技術分野】
【０００１】
本発明は、ファイルボックス内に収納された書類の変形を防止するための書類押さえ具に関する。
【背景技術】
【０００２】
書類の検索、抽出、収容が容易にできるように書類がファイリングボックスに整理保管されている（特許文献１参照）。
【０００３】
図３（ａ）は従来のファイリングボックスの一例を示す斜視図、（ｂ）は書類を収納した状態の概略を示す断面図である。
【０００４】
図３（ａ）において、ファイリングボックスは、正面板６、側板７ａ，７ｂ、背面板８及び底板により構成されるボックス本体５と、ボックス本体５の上部に連接された天蓋９とからなる。正面板３の上部分には外側に開く開閉蓋１０が設けられ、開閉蓋１０には開閉蓋１０を開けやすくするために指挿入孔１０ａが設けられる。天蓋９は、強度を上げるため、背面板８に延設された天板１１と、側板７ａ，７ｂに折り曲げ線により内側に中折り可能に設けられた補強板１２ａ，１２ｂとが一体に形成され、また、ファイリングボックスを棚から取り出し易くするため、天板１１に指挿入孔１１ａが設けられる。
【０００５】
ファイルボックス内に書類を収納した場合に、収納される書類４が少なく、ファイルボックス５の収納幅に余裕があるときは、図３（ｂ）に示すように、書類４が自重によってファイルボックス内で湾曲してファイルボックス内に沈み込んで書類の検索や取り出しが不便になったり、書類が変形して曲がりぐせがついて見開き難くなったりする。さらに、新たに書類をファイルボックス内に収納する際に、変形している書類に邪魔されて収納作業がしにくくなるといった欠点があった。
【０００６】
前記欠点を解決するために、例えば、特許文献２にファイルボックス用支持装置が開示されている。図４の断面図に示す従来のファイルボックス用支持装置においては、上面を開口した平面横長方形状の筐体から成るファイルボックス５の内底面に、底面に合致する横長方形状の固定板１３を敷設し、この固定板１３の上に、ファイルボックス内で起立扇動する支持板１４を、定着手段によりファイルボックス５における短手方向に可変可能に定着した構造となっている。この支持装置により、ファイルボックス内に書類４を少なく収納した際に、書類４を支持板１４に書類の荷重が作用して、支持板１４は他方の側面側に傾いて扇形状に開いた状態で書類４を支持するので、書類４がファイルボックス内に沈んだり、変形したりしないというものである。
【特許文献１】特許第３１３１４１３号
【特許文献２】特開平９−１７５０７１号公報
【発明の開示】
【発明が解決しようとする課題】
【０００７】
特許文献２の支持装置は、大判の書類はその上部が扇形状に開いた支持板を越えて支持板に支持されずにファイルボックスの側面側で支持することになるために図４に示すように湾曲する欠点がある。
【０００８】
また、支持板と固定板を固定するとともに、収納する書類の厚さに応じて支持板を固定板上で移動可能に構成する必要があるため、構造がやや複雑となって製作に手間がかかるという難点がある。
【０００９】
そこで、本発明は、ファイルボックス内に収納された書類の変形を防止することができる書類押さえ具を提供するものである。
【課題を解決するための手段】
【００１０】
本発明は、ファイルボックスに収納された書類を押さえる書類押さえ具であって、書類を押さえる書類押さえ板とファイルボックスの正面板又は背面板に当接する当接板が弾性力により伸縮自在に連結されていることを特徴とする。
【００１１】
本発明は、板状体が曲げられて書類押さえ板と正面板又は背面板に当接板が弾性力により伸縮自在に連結板で連結することにより構成することができる。
【００１２】
本発明の書類押さえ具は、段ボール、厚紙、樹脂製シートあるいは金属板などの板状体を利用することができるが、製造のし易さ、コストの面から段ボールあるいは厚紙が適している。
【００１３】
板状体を曲げて書類押さえ板と当接板を形成する場合、板状体の曲げ形状は、断面Ｎ字形の他に、Ｖ字形、Ｗ形、丸形など書類押さえ板と当接板が弾力を有する形状に形成すればよい。
【発明の効果】
【００１４】
本発明の書類押さえ具は、ファイルボックスに収納された書類を書類押さえ板により弾性力によりファイリングボックスの正面板又は背面板に押し付けるので、書類をファイルボックス内で起立状態に保持することができるので、書類が変形するのを防止することができる。
【００１５】
また、本発明の書類押さえ具は、書類押さえ板と当接板が弾性力により伸縮自在に連結されているので、収納した書類の厚みが変化してもファイルボックス内で起立状態に保持することができる。
【発明を実施するための最良の形態】
【００１６】
本発明の書類押さえ具の一実施例について図面を参照しながら説明する。
【実施例１】
【００１７】
図１（ａ）は本発明の書類押さえ具の一実施例を示す斜視図、（ｂ）は本実施例の書類押さえ具の使用状態を示す一部を切り欠いた斜視図である。
【００１８】
図１（ａ）において、書類押さえ具は、板状体（段ボール板）をＺ字形に曲げることにより、書類を弾力的にファイリングボックスの正面板又は背面板に押し付けて押さえる書類押さえ板１と、ファイリングボックスの正面板あるいは背面板に弾力的に当接する当接板２とを連結する連結板３が形成される。
【００１９】
段ボール板を縦長の中空部と直交する方向にＺ字形に曲げることにより弾力性を有するので、書類押さえ板１、当接板２および連結板３が弾性力を有する状態で連結され、書類押さえ板１と当接板２の間隔を弾性力により伸縮自在にすることが可能となる。
【００２０】
書類押さえ板１と当接板２が弾性力を有する状態で連結されることにより、書類押さえ板１とファイリングボックスの正面板又は背面板との間に書類４を挟んで押さえ、対向する当接板２がファイリングボックスの正面板又は背面板に当接して押し付けられる。また弾性力を有する状態で連結されているので、書類押さえ板１と当接板２の間隔が書類４の厚みに合わせて伸縮できる。
【００２１】
図１（ｂ）において、ファイリングボックス５内に書類を収納し、書類４とファイリングボックスの正面板６との間に書類押さえ板１と当接板２の間隔を縮めた状態で挿入した後、書類押さえ板１と当接板２の間隔が弾性力により広げられると、書類押さえ板１がファイリングボックスの背面板との間で弾性力により書類を４押さえるとともに、当接板２がファイリングボックスの正面板６に当接して押し付けられ、書類４が起立状態に保持され、書類４の曲がりを防止することができる。
【００２２】
また、書類４が大判の場合には、挿入した書類押さえ具をずり上げて書類押さえ板１で書類４の上部を押さえることにより、書類４を起立状態に保持して曲がりを防止することができる。
【００２３】
なお、書類押さえ具の挿入方向は、図２に示す方向から９０度回転させた状態で挿入してもよい。
【実施例２】
【００２４】
図２（ａ）は本発明の書類押さえ具の別実施例を示す斜視図、（ｂ）は本実施例の書類押さえ具の使用状態を示す断面図である。
【００２５】
図２（ａ）において、書類押さえ具は、板状体（段ボール板）をＭ字形に曲げることにより、書類を弾力的にファイリングボックスの正面板又は背面板に押し付けて押さえる書類押さえ板１と、ファイリングボックスの正面板あるいは背面板に弾力的に当接する当接板２とを連結するＶ形の連結板３が形成される。
【００２６】
段ボール板を縦長の中空部と直交する方向にＭ字形に曲げることにより弾力性を有するので、書類押さえ板１と当接板２の間隔を弾性力により伸縮自在にすることが可能となる。
【００２７】
図２（ｂ）において、ファイリングボックス５内に書類を収納し、書類４とファイリングボックスの背面板８との間に書類押さえ板１と当接板２の間隔を縮めた状態で挿入した後、書類押さえ板１と当接板２の間隔が弾性力により広げられると、書類押さえ板１がファイリングボックスの正面板６との間で弾性力により書類を４押さえるとともに、当接板２がファイリングボックスの背面板８に当接して押し付けられ、書類４が起立状態に保持され、書類４の曲がりを防止することができる。
【００２８】
また、書類４が大判の場合には、実施例１と同様に、挿入した書類押さえ具をずり上げて書類押さえ板１で書類４の上部を押さえることにより、書類４を起立状態に保持して曲がりを防止することができる。
【００２９】
なお、書類押さえ具の挿入方向は、図２に示す方向に回転させてＷ形の状態で挿入してもよい。
【図面の簡単な説明】
【００３０】
【図１】本発明の書類押さえ具の一実施例を示す斜視図、書類押さえ具の使用状態を示す一部を切り欠いた斜視図である。
【図２】本発明の書類押さえ具の別実施例を示す斜視図、書類押さえ具の使用状態を示す断面図である。
【図３】ファイリングボックスの一例を示す斜視図である。
【図４】ファイリングボックスに収納した状態を示す図である。
【符号の説明】
【００３１】
１：書類押さえ板
２：当接板
３：連結板
４：書類
５：ボックス
６：正面板
７ａ，７ｂ：側板
８：背面板
９：天蓋
１０：開閉蓋
１０ａ：指挿入孔
１１：天板
１２ａ，１２ｂ：補強板
１３：固定板
１４：支持板
【図１】
2006281579.tif 000003
【図２】
2006281579.tif 000004
【図３】
2006281579.tif 000005
【図４】
2006281579.tif 000006